(57)【要約】【課題】往復動作によって繰り返し摩擦力が作用する締結部材において、緩みの発生を抑制して締結力を保つこと。【解決手段】スライダ４１と、スライダ４１に配置され、駆動機構５０の平歯車５２と噛み合うラック部４３と、スライダ４１に形成されたガイド長孔４２と、筐体３０に配置され、ガイド長孔４２の周面に係合した状態でスライダ４１をガイドするガイド部材１００とを備え、スライダ４１は、駆動機構５０によって回転する平歯車５２とラック部４３とが噛み合うことによって、筐体３０に対して進退し、ガイド長孔４２は、スライダ４１が進退するとき、周面がガイド部材１００に摺動し、ガイド部材１００は、ネジ部を有し、ネジ部は、平歯車５２とラック部４３とが噛み合う駆動点Ｐよりラック部４３の歯部４３１が整列する方向の一方の側に位置するガイド部材１００においては逆ネジに形成される。【選択図】図２
2019119280.tif 000002
【特許請求の範囲】
【請求項１】
スライダと、
前記スライダに配置され、駆動機構の歯車と噛み合うラック部と、
前記スライダの進退方向に沿って前記スライダに形成されたガイド長孔と、
筐体に配置され、前記ガイド長孔の周面に係合した状態で前記スライダをガイドするガイド部材と、
を備え、
前記スライダは、前記駆動機構によって回転する前記歯車と前記ラック部とが噛み合うことによって、前記筐体に対して進退し、
前記ガイド長孔は、前記スライダが進退するとき、前記周面が前記ガイド部材に摺動し、
前記ガイド部材は、ネジ部を有し、
前記ネジ部は、前記歯車と前記ラック部とが噛み合う駆動点より前記ラック部の歯部が整列する方向の一方の側に位置するガイド部材においては逆ネジに形成される、
ことを特徴とするスライド機構。
【請求項２】
前記ラック部は、前記ガイド長孔に隣接して配置されている、請求項１に記載のスライド機構。
【請求項３】
前記ラック部は、前記スライダの進退方向に沿って歯が並んで配置されている、請求項１または２に記載のスライド機構。
【請求項４】
前記ネジ部は、前記スライダが進退するとき、前記駆動点より前記スライダの進退方向の前側に位置するガイド部材においては、逆ネジに形成される、請求項１から３のいずれか一項に記載のスライド機構。
【請求項５】
前記ネジ部は、前記スライダが進退するとき、前記駆動点より前記スライダの進退方向の後側に位置するガイド部材においては、正ネジに形成される、請求項１から４のいずれか一項に記載のスライド機構。
【請求項６】
前記スライダは、車両用の電子機器の表示ユニットを前記電子機器の筐体に対して進退する、請求項１から５のいずれか一項に記載のスライド機構。
【請求項７】
操作面を有する筐体、
前記操作面に沿ってスライドし開閉する表示ユニット、および、
スライダと、
前記スライダに配置され、駆動機構の歯車と噛み合うラック部と、
前記スライダの進退方向に沿って前記スライダに形成されたガイド長孔と、
前記筐体に配置され、前記ガイド長孔の周面に係合した状態で前記スライダをガイドするガイド部材と、を有するスライド機構、
を備え、
前記スライダは、前記駆動機構によって回転する前記歯車と前記ラック部とが噛み合うことによって、前記筐体に対して進退し、
前記ガイド長孔は、前記スライダが進退するとき、前記周面が前記ガイド部材に摺動し、
前記ガイド部材は、ネジ部を有し、
前記ネジ部は、前記歯車と前記ラック部とが噛み合う駆動点より前記ラック部の歯部が整列する方向の一方の側に位置するガイド部材においては、逆ネジに形成される、
ことを特徴とする電子機器。
【発明の詳細な説明】
【技術分野】
【０００１】
本発明は、スライド機構、および、電子機器に関する。
【背景技術】
【０００２】
例えば、ＡＶ一体型のカーナビゲーションシステムまたはカーオーディオなどの車両に搭載される車両用の電子機器は、スライダによって表示パネルがサブパネルに対して進退する（例えば、特許文献１参照）。
【先行技術文献】
【特許文献】
【０００３】
【特許文献１】特許第５８２８３０１号公報
【発明の概要】
【発明が解決しようとする課題】
【０００４】
車両用の電子機器において、例えば、エンジンの始動時と停止時、メディアスロットに記憶媒体を着脱するとき、または、表示パネルを視認しやすい角度に調整するときなどに、スライダによって表示パネルがサブパネルに対して進退される。スライダの進退動作によって、スライダとスライダの進退動作をガイドするガイド部材との間では、繰り返し摩擦力が作用する。往復動作によって繰り返し摩擦力が作用する位置に使用されている締結部材は、摩擦力による緩みの発生を抑制して締結力を保つことが望まれる。
【０００５】
本発明は、上記に鑑みてなされたものであって、往復動作によって繰り返し摩擦力が作用する締結部材において、緩みの発生を抑制して締結力を保つことを目的とする。
【課題を解決するための手段】
【０００６】
上述した課題を解決し、目的を達成するために、本発明に係るスライド機構は、スライダと、前記スライダに配置され、駆動機構の歯車と噛み合うラック部と、前記スライダの進退方向に沿って前記スライダに形成されたガイド長孔と、筐体に配置され、前記ガイド長孔の周面に係合した状態で前記スライダをガイドするガイド部材と、を備え、前記スライダは、前記駆動機構によって回転する前記歯車と前記ラック部とが噛み合うことによって、前記筐体に対して進退し、前記ガイド長孔は、前記スライダが進退するとき、前記周面が前記ガイド部材に摺動し、前記ガイド部材は、ネジ部を有し、前記ネジ部は、前記歯車と前記ラック部とが噛み合う駆動点より前記ラック部の歯部が整列する方向の一方の側に位置するガイド部材においては、逆ネジに形成される、ことを特徴とする。
【０００７】
上述した課題を解決し、目的を達成するために、本発明に係る電子機器は、操作面を有する筐体、前記操作面に沿ってスライドし開閉する表示ユニット、および、スライダと、前記スライダに配置され、駆動機構の歯車と噛み合うラック部と、前記スライダの進退方向に沿って前記スライダに形成されたガイド長孔と、前記筐体に配置され、前記ガイド長孔の周面に係合した状態で前記スライダをガイドするガイド部材と、を有するスライド機構、を備え、前記スライダは、前記駆動機構によって回転する前記歯車と前記ラック部とが噛み合うことによって、前記筐体に対して進退し、前記ガイド長孔は、前記スライダが進退するとき、前記周面が前記ガイド部材に摺動し、前記ガイド部材は、ネジ部を有し、前記ネジ部は、前記歯車と前記ラック部とが噛み合う駆動点より前記ラック部の歯部が整列する方向の一方の側に位置するガイド部材においては、逆ネジに形成される、ことを特徴とする。
【発明の効果】
【０００８】
本発明によれば、往復動作によって繰り返し摩擦力が作用する締結部材において、緩みの発生を抑制して締結力を保つことができるという効果を奏する。
【図面の簡単な説明】
【０００９】
【図１】図１は、実施形態に係るスライド機構を備えた電子機器を示す斜視図である。
【図２】図２は、実施形態に係るスライド機構の部分拡大図である。
【図３】図３は、実施形態に係るスライド機構の拡大断面図である。
【発明を実施するための形態】
【００１０】
以下に添付図面を参照して、本発明に係るスライド機構４０を有する電子機器１０の実施形態を詳細に説明する。なお、以下の実施形態により本発明が限定されるものではない。
【００１１】
以下の説明においては、車両用の電子機器１０を車両の運転席の前方に搭載した状態で各方向を定義する。前後方向とは、車両直進時の進行方向と平行な方向であり、運転席側に向かう方向を前後方向の「前」、前方ウインドシールド側に向かう方向を前後方向の「後」とする。前後方向を、Ｘ軸方向とする。左右方向とは、前後方向に対して水平に直交する方向である。運転席側から見て、左手側が「左」、右手側が「右」である。左右方向を、Ｙ軸方向とする。上下方向とは、前後方向および左右方向に対して直交する方向である。上下方向を、Ｚ軸方向とする。したがって、前後方向、左右方向および鉛直方向は、３次元で直交する。
【００１２】
図１は、実施形態に係るスライド機構を備えた電子機器を示す斜視図である。図２は、実施形態に係るスライド機構の部分拡大図である。図３は、実施形態に係るスライド機構の拡大断面図である。電子機器１０は、例えば、ＡＶ一体型のカーナビゲーションシステムまたはカーオーディオなどである。電子機器１０は、映像を表示する表示ユニット２０と、筐体３０と、ガイド部材１００を有するスライド機構４０と、駆動機構５０とを有する。
【００１３】
表示ユニット２０は、筐体３０に対してスライドすることで開閉する。より詳しくは、表示ユニット２０は、図示しない電子機器１０のサブパネルに沿ってスライドし開閉する。言い換えると、表示ユニット２０は、電子機器１０のサブパネルに対してチルト動作し開閉する。より詳しくは、表示ユニット２０は、サブパネルと平行な方向に沿って起立しているとき、閉じた状態である。表示ユニット２０が閉じた状態のとき、サブパネルは表示ユニット２０で覆われている。表示ユニット２０は、サブパネルに対して傾いているとき、開いた状態である。表示ユニット２０が開いた状態のとき、サブパネルは露出している。本実施形態では、表示ユニット２０は、下側がサブパネルから遠ざかりながら、上側がサブパネルに沿って下方にスライドすることで、サブパネルに対して開いた状態となる。表示ユニット２０は、下側がサブパネルに近づきながら、上側がサブパネルに沿って上方にスライドすることでサブパネルに対して閉じた状態となる。
【００１４】
表示ユニット２０は、運転席に面した表面に配置された表示パネル２１と、表面と反対側の裏面の下側に配置された一対の回転軸２２と、裏面の上側に配置された一対のガイドローラ２３とを有する。
【００１５】
表示パネル２１は、例えば、液晶ディスプレイ（ＬＣＤ：Ｌｉｑｕｉｄ  Ｃｒｙｓｔａｌ  Ｄｉｓｐｌａｙ）又は有機ＥＬ（Ｏｒｇａｎｉｃ  Ｅｌｅｃｔｒｏ−Ｌｕｍｉｎｅｓｃｅｎｃｅ）ディスプレイを含むディスプレイである。表示パネル２１は、図示しない読取ユニットから出力された映像信号に基づいて映像を表示する。表示パネル２１は、表面が運転席と向かい合って配置されている。
【００１６】
一対の回転軸２２は、Ｙ軸方向に離れて配置されている。一対の回転軸２２は、同一軸線上に配置されている。回転軸２２は、Ｙ軸方向と平行な方向に沿った軸線を有する円柱状に形成されている。一対の回転軸２２は、スライド機構４０のスライダ４１に回転自在に連結されている。一対の回転軸２２は、スライダ４１によってサブパネルに対して進退する。
【００１７】
一対のガイドローラ２３は、Ｙ軸方向に離れて配置されている。一対のガイドローラ２３は、同一軸線上に配置されている。ガイドローラ２３は、Ｙ軸方向と平行な方向に沿った軸線を有する円柱状に形成されている。一対のガイドローラ２３は、電子機器１０のサブパネルに形成されたガイド溝と係合している。言い換えると、一対のガイドローラ２３は、ガイド溝に沿ってスライドする。
【００１８】
筐体３０は、車両に取り付けられる。筐体３０は、電子機器１０の各部材が配置される。本実施形態では、筐体３０は、車両水平面に対して平行に配置された平面上の板材で形成されているものとして説明するがこれに限定されない。
【００１９】
スライド機構４０は、筐体３０に対してＸ軸方向に進退する。スライド機構４０は、スライダ４１と、ガイド長孔４２と、ラック部４３と、後述するガイド部材１００とを有する。
【００２０】
スライダ４１は、駆動機構５０によって駆動され、前側の端部がサブパネルに対して前進したり後退したりする。スライダ４１は、運転席から見て左側（図１においては右側）に配置されＸ軸方向に沿って延びる壁部４１ａと、壁部４１ａと向かいあって右側（図１においては左側）に配置された壁部４１ｂと、壁部４１ａと壁部４１ｂとを連結してＹ軸方向に沿って延びる壁部４１ｃとが一体に形成されている。スライダ４１は、Ｚ軸方向視において、壁部４１ａと壁部４１ｂと壁部４１ｃとによってコの字型に形成されている。壁部４１ａには、ガイド長孔４２とラック部４３とが形成されている。壁部４１ａの前側の端部には、左側の回転軸２２が回転可能に配置されている。壁部４１ｂの前側の端部には、右側の回転軸２２が回転可能に配置されている。
【００２１】
ガイド長孔４２は、壁部４１ａにＸ軸方向に沿って形成されている。ガイド長孔４２は、Ｘ軸方向の長さが、スライダ４１が筐体３０に対してスライドする長さ以上に形成されている。ガイド長孔４２は、ガイド部材１００が挿通される。ガイド長孔４２は、ガイド部材１００とともに、スライダ４１の進退動作をガイドする。ガイド長孔４２のＹ軸方向の幅は、スライダ４１が進退動作するとき、ガイド部材１００の外周との間で摩擦力を生じる程度の大きさに形成されている。言い換えると、ガイド長孔４２は、スライダ４１が進退するとき、周面がガイド部材１００に摺動する。ガイド長孔４２の左側の周面部を４２ａ、右側の周面部を４２ｂという。
【００２２】
ラック部４３は、壁部４１ａの右側の周縁部に配置されている。ラック部４３は、駆動機構５０の最終段の平歯車（以下、「平歯車」という。）５２の歯部５２１と噛み合う歯部４３１を有する。ラック部４３は、駆動機構５０が駆動して、平歯車５２が回転すると、筐体３０に対して進退する。ラック部４３の進退動作に連動して、ガイド部材４１が進退動作する。ラック部４３の歯部４３１と平歯車５２の歯部５２１とが噛み合う位置を、駆動点Ｐという。
【００２３】
このように構成されたスライド機構４０は、スライダ４１の前進動作によって、表示ユニット２０の一対の回転軸２２を前方に押し出す。このとき、表示ユニット２０の一対のガイドローラ２３は、サブパネルのガイド溝に沿って下方にスライドされる。このようなスライド機構４０の動作で、表示ユニット２０の下側が筐体３０から遠ざかりながら、表示ユニット２０の上側が筐体３０の下側にスライドされる。スライド機構４０は、スライダ４１の後退動作によって、表示ユニット２０の一対の回転軸２２を後方に引き戻す。このとき、表示ユニット２０の一対のガイドローラ２３は、ガイド溝に沿って上方にスライドされる。このようなスライド機構４０の動作で、表示ユニット２０の下側が筐体３０に近づきながら、表示ユニット２０の上側が筐体３０の上側にスライドされる。
【００２４】
駆動機構５０は、スライド機構４０を駆動する。駆動機構５０は、モータ５１と、ラック部４３と噛み合う平歯車５２を含む複数段の歯車とを有する。本実施形態では、駆動機構５０は、平歯車５２を含み３段の歯車を有する。
【００２５】
モータ５１は、複数段の歯車を回転させる駆動源である。モータ５１は、スライド機構４０を駆動する駆動源である。
【００２６】
平歯車５２は、複数段の歯車を介して、モータ５１によって回転する。平歯車５２は、スライド機構４０のラック部４３と噛み合う歯部５２１を有する。平歯車５２は、モータ５１が駆動すると回転する。回転する平歯車５２の歯部５２１とラック部４３の歯部４３１とが駆動点Ｐにおいて噛み合いながら、スライド機構４０が筐体３０に対して進退動作する。言い換えると、駆動機構５０によって回転する駆動機構５０の最終段の平歯車５２とラック部４３とが噛み合うことによって、スライダ４１が筐体３０に対して進退する。本実施形態では、平歯車５２は、スライド機構４０を前進させるとき、反時計回りに回転する。本実施形態では、平歯車５２は、スライド機構４０を後退させるとき、時計回りに回転する。
【００２７】
ガイド部材１００は、筐体３０に配置され、ガイド長孔４２の周面に係合した状態でスライダ４１の筐体３０に対する進退動作をガイドする。本実施形態では、ガイド部材１００は、Ｘ軸方向に間隔を空けて２つ配置されている。ガイド部材１００は、筐体３０に固定されている。ガイド部材１００は、スライダ４１のガイド長孔４２に係合する。ガイド部材１００は、ネジ部１０１とローラ部１０２とスタッド部１０３とバネ部１０４とを有する。ネジ部１０１とローラ部１０２とスタッド部１０３とバネ部１０４とは、同一軸線上に組み付けられている。
【００２８】
ネジ部１０１は、雄ネジ部１０１ａを有する。雄ネジ部１０１ａは、スタッド部１０３の雌ネジ部１０３ａと螺合する。ネジ部１０１は、ローラ部１０２とバネ部１０４とを固定する。
【００２９】
ローラ部１０２は、ガイド長孔４２に係合して、ガイド部材１００とスライダ４１とのガタツキを規制する。ローラ部１０２は、円筒状に形成されている。ローラ部１０２の半径方向の内側の孔部１０２ａには、スタッド部１０３の軸部１０３ｂが嵌合する。ローラ部１０２は、スライダ４１が筐体３０に対して進退動作するとき、ガイド長孔４２の周面部４２ａと周面部４２ｂとに接触する。言い換えると、スライダ４１が進退動作するとき、ローラ部１０２にガイド長孔４２の周面部４２ａと周面部４２ｂとが摺動する。スライダ４１が進退動作するとき、ローラ部１０２とガイド長孔４２の周面部４２ａと周面部４２ｂとの間に摩擦力が作用する。
【００３０】
スタッド部１０３は、筐体３０に固定される。より詳しくは、スタッド部１０３は、ローラ部１０２とバネ部１０４とを筐体３０に対して固定する。スタッド部１０３は、円筒状に形成され、内周面に雌ネジ部１０３ａが形成されている。雌ネジ部１０３ａは、ネジ部１０１の雄ネジ部１０１ａと螺合する。
【００３１】
バネ部１０４は、ローラ部１０２に作用する荷重を低減するダンパとして機能する。バネ部１０４は、ローラ部１０２がスタッド部１０３から抜けることを防止する。バネ部１０４は、ネジ部１０１が挿通される。バネ部１０４は、上端部がネジ部１０１の頭部の下端部に当接している。バネ部１０４は、下端部がローラ部１０２の上端部に当接している。バネ部１０４は、ネジ部１０１とスタッド部１０３の雌ネジ部１０３ａとが締結された状態において、圧縮されている。これにより、バネ部１０４は、ローラ部１０２を下側に付勢している。
【００３２】
このように構成されたガイド部材１００は、スライダ４１が筐体３０に対して進退動作するとき、ガイド長孔４２の周面部４２ａと周面部４２ｂとがローラ部１０２に接触しながら摺動する。
【００３３】
本実施形態では、Ｘ軸方向の前側に配置されたガイド部材（以下、「前側のガイド部材」という。）１００は、駆動点ＰよりＸ軸方向の前側に位置している。前側のガイド部材１００は、雄ネジ部１０１ａが逆ネジに形成されている。
【００３４】
本実施形態では、Ｘ軸方向の後側に配置されたガイド部材（以下、「後側のガイド部材」という。）１００は、駆動点Ｐの近傍に位置している。後側のガイド部材１００は、雄ネジ部１０１ａが正ネジに形成されている。
【００３５】
次に、このように構成された電子機器１０の開閉動作時におけるスライド機構４０の動作と作用について説明する。
【００３６】
まず、電子機器１０の開動作時について説明する。電子機器１０は、表示ユニット２０を開動作させる操作が検出された検出信号が入力されると、スライド機構４０によって、表示ユニット２０を開動作させる。より詳しくは、表示ユニット２０の一対の回転軸２２は、スライド機構４０のスライダ４１によって前方に押し出される。このとき、表示ユニット２０は、一対のガイドローラ２３がサブパネルのガイド溝に沿って下方にスライドされる。これにより、表示ユニット２０は、下側が筐体３０から遠ざかりながら、上側が筐体３０の下側にスライドされて、表示ユニット２０が筐体３０に対して開いた状態とされる。表示ユニット２０が開いて、サブパネルが露出される。
【００３７】
駆動点Ｐよりラック部４３の歯部４３１が整列する方向であるＸ軸方向の前側においては、ラック部４３の歯部４３１と平歯車５２の歯部５２１との摩擦により、スライダ４１の壁部４１ａには、平歯車５２の反時計回りの回転に追従して回転しようとする同方向の回転力が作用する。これにより、駆動点Ｐより前側に配置されたガイド部材１００には、ガイド長孔４２の周面部４２ａを介してローラ部１０２に反時計回りの回転力が作用する。ローラ部１０２に作用した反時計回りの回転力は、スタット部１０３を介してネジ部１０１の雄ネジ部１０１ａに作用する。このように、駆動点Ｐより前側に配置されたガイド部材１００の雄ネジ部１０１ａには、反時計回りの回転力が作用する。
【００３８】
駆動点ＰよりＸ軸方向の後側においては、ラック部４３の歯部４３１と平歯車５２の歯部５２１との摩擦により、スライダ４１の壁部４１ａには、平歯車５２の反時計回りの回転に追従して回転しようとする同方向の回転力が作用する。これにより、駆動点Ｐより後側に配置されたガイド部材１００には、ガイド長孔４２の周面部４２ｂを介してローラ部１０２に時計回りの回転力が作用する。ローラ部１０２に作用した時計回りの回転力は、スタット部１０３を介してネジ部１０１の雄ネジ部１０１ａに作用する。このように、駆動点Ｐより後側に配置されたガイド部材１００の雄ネジ部１０１ａには、時計回りの回転力が作用する。
【００３９】
つづいて、電子機器１０の閉動作時について説明する。電子機器１０は、表示ユニット２０を閉動作させる操作が検出された検出信号が入力されると、スライド機構４０によって、表示ユニット２０を閉動作させる。より詳しくは、スライド機構４０のスライダ４１によって、表示ユニット２０の一対の回転軸２２が後方に引き戻される。このとき、表示ユニット２０の一対のガイドローラ２３がサブパネルのガイド溝に沿って上方にスライドされる。これにより、表示ユニット２０の下側が筐体３０から近づきながら、表示ユニット２０の上側が筐体３０の上側にスライドされて、表示ユニット２０が筐体３０に対して閉じた状態とされる。表示ユニット２０が閉じて、サブパネルが覆われる。
【００４０】
駆動点ＰよりＸ軸方向の前側においては、ラック部４３の歯部４３１と平歯車５２の歯部５２１との摩擦により、スライダ４１の壁部４１ａには、平歯車５２の時計回りの回転に追従して回転しようとする同方向の回転力が作用する。これにより、駆動点Ｐより前側に配置されたガイド部材１００には、ガイド長孔４２の周面部４２ｂを介してローラ部１０２に反時計回りの回転力が作用する。ローラ部１０２に作用した反時計回りの回転力は、スタット部１０３を介してネジ部１０１の雄ネジ部１０１ａに作用する。このように、駆動点Ｐより前側に配置されたガイド部材１００の雄ネジ部１０１ａには、反時計回りの回転力が作用する。
【００４１】
駆動点ＰよりＸ軸方向の後側においては、ラック部４３の歯部４３１と平歯車５２の歯部５２１との摩擦により、スライダ４１の壁部４１ａには、平歯車５２の時計回りの回転に追従して回転しようとする同方向の回転力が作用する。これにより、駆動点Ｐより後側に配置されたガイド部材１００には、ガイド長孔４２の周面部４２ａを介してローラ部１０２に時計回りの回転力が作用する。ローラ部１０２に作用した時計回りの回転力は、スタット部１０３を介してネジ部１０１の雄ネジ部１０１ａに作用する。このように、駆動点Ｐより後側に配置されたガイド部材１００の雄ネジ部１０１ａには、時計回りの回転力が作用する。
【００４２】
これらより、スライダ４１が前進して表示パネル２１が開状態になったとき、および、スライダ４１が後退して表示パネル２１が閉状態になったとき、どちらも駆動点ＰよりＸ軸方向の前側に位置するガイド部材１００の雄ネジ部１０１ａには、スライド機構４０の進退動作時に、反時計回りの回転力が作用する。そこで、スライド機構４０の進退動作時に、常に駆動点ＰよりＸ軸方向の前側に位置するガイド部材１００の雄ネジ部１０１ａは、頭部を上から見て反時計回りに回転すると締まる逆ネジを使用する。常に駆動点ＰよりＸ軸方向の前側に位置するガイド部材１００の雄ネジ部１０１ａは、逆ネジとすることで、スライド機構４０の進退動作時に、常にネジが締まる方向の回転力が作用する。
【００４３】
また、スライダ４１が前進して表示パネル２１が開状態になったとき、および、スライダ４１が後退して表示パネル２１が閉状態になったとき、どちらも駆動点ＰよりＸ軸方向の後側に位置するガイド部材１００の雄ネジ部１０１ａには、スライド機構４０の進退動作時に、時計回りの回転力が作用する。そこで、スライド機構４０の進退動作時に、常に駆動点ＰよりＸ軸方向の後側に位置するガイド部材１００の雄ネジ部１０１ａは、頭部を上から見て時計回りに回転すると締まる正ネジを使用する。常に駆動点ＰよりＸ軸方向の後側に位置するガイド部材１００の雄ネジ部１０１ａは、正ネジとすることで、スライド機構４０の進退動作時に、常にネジが締まる方向の回転力が作用する。
【００４４】
さらに、駆動点Ｐの近傍、より詳しくは、駆動点Ｐからスライダ４１のストローク範囲内に位置するガイド部材１００の雄ネジ部１０１ａは、スライダ４１の進退動作時に、時計回りの回転力と反時計回りの回転力とがどちらも作用する。このため、駆動点Ｐの近傍に位置するガイド部材１００の雄ネジ部１０１ａは、正ネジであっても逆ネジであってもよい。
【００４５】
本実施形態では、前側のガイド部材１００は、雄ネジ部１０１ａが逆ネジに形成されている。このため、前側のガイド部材１００には、スライド機構４０の進退動作時に、常にネジが締まる方向の回転力が作用する。
【００４６】
上述したように、本実施形態は、常に駆動点ＰよりＸ軸方向の前側に位置するガイド部材１００の雄ネジ部１０１ａは、逆ネジとする。また、本実施形態は、常に駆動点ＰよりＸ軸方向の後側に位置するガイド部材１００の雄ネジ部１０１ａは、正ネジとする。本実施形態によれば、ガイド部材１００に常にネジが締まる方向の回転力が作用するので、ガイド部材１００の緩みを抑制することができる。このようにして、本実施形態は、スライダ４１の進退動作のように往復動作によって繰り返し摩擦力が作用するガイド部材１００において緩みの発生を抑制して締結力を保つことができる。
【００４７】
本実施形態は、ガイド部材１００における緩みの発生を抑制するために、既存の部材を加工したり、他の部材を追加で取り付けることを要しない。本実施形態は、既存の電子機器にも容易に適用することができる。
【００４８】
さて、これまで本発明に係る電子機器１０について説明したが、上述した実施形態以外にも種々の異なる形態にて実施されてよいものである。上記で説明したスライダ４１の筐体３０に対する進退動作をガイドするガイド部材１００は一例であり、往復動作によって繰り返し摩擦力が作用する締結部材に適用することができる。
【００４９】
上記の説明では、ラック部４３はガイド長孔４２に隣接して配置されているものとし、ラック部４３と駆動機構５０とが壁部４１ａの右側（図１においては左側）に配置されているとして説明したが、ラック部４３はガイド長孔４２に隣接して配置されていなくてもよい。例えば、ガイド長孔４２が壁部４１ａに配置され、ラック部４３と駆動機構５０とが壁部４１ｂの左側（図１においては右側）に配置されていてもよい。この場合において、スライダ４１を直線状にのばしたと仮定して、駆動点Ｐを起点にして、ラック部４３の歯部４３１が整列する方向の一方の側を定義する。このようにすると、ガイド長孔４２に係合するすべてのガイド部材１００は、駆動点Ｐよりラック部４３の歯部４３１が整列する方向において同じ側（一方の側）に位置する。このように、この場合、ガイド部材１００は、例えば、すべて正ネジとすればよい。
【００５０】
上記の実施形態で説明した表示ユニット２０の構成は一例であり、表示ユニット２０は、サブパネルに沿ってスライドする構成であればよい。
【符号の説明】
【００５１】
１０      電子機器
２０      表示ユニット
２１      表示パネル
３０      筐体
４０      スライド機構
４１      スライダ
４２      ガイド長孔
４２ａ    左側の周面部
４２ｂ    右側の周面部
４３      ラック部
５０      駆動機構
５１      モータ
５２      平歯車
１００    ガイド部材
１０１    ネジ部
１０１ａ  雄ネジ部
１０２    ローラ部
１０３    スタッド部
１０３ａ  雌ネジ部
１０４    バネ部
Ｐ        駆動点
【図１】
2019119280.tif 000003
【図２】
2019119280.tif 000004
【図３】
2019119280.tif 000005